(57)【要約】【課題】  定速走行制御の実行時に車両の進行方向前方に存在する連続カーブを通過する際に、適切に定速走行制御装置を作動させる。【解決手段】  定速走行制御部６５は操作者により定速走行制御の作動が指示されると、予め設定された適宜の目標速度ＶＯを維持するようにして車両を自動的に加速または減速させて速度制御を行う。定速走行制御部６５は、定速走行制御の実行時に連続する複数のカーブからなる連続カーブを通過する際に、適宜の前方側のカーブを通過後に運転意志検出部６７にて運転者の加速意志が検出された場合には、通過した前方側のカーブから先のカーブまでの距離に基づき設定した所定速度まで車両を加速させる。【選択図】      図１
2006123587.tif 000002
【特許請求の範囲】
【請求項１】
道路データを記憶する記憶手段と、
自車両の位置を検出する自車位置検出手段と、
自車両の速度を検出する車両速度検出手段と、
前記記憶手段が記憶した前記道路データに基づき自車両の進行方向に存在するカーブの形状を認識するカーブ認識手段と、
前記カーブ認識手段が認識した前記カーブの形状に基づき該カーブを適正に通過可能な適正速度を設定する適正速度設定手段と、
運転者の入力操作により目標速度を設定する目標速度設定手段と、
前記車両速度検出手段が検出した前記速度が前記目標速度と一致するように自車両の加速または減速を制御する定速走行制御手段と
を備える定速走行制御装置を具備する車両の走行安全装置であって、
運転者の加速意志を検出する意志検出手段を備え、
前記定速走行制御手段は、前記定速走行制御手段の制御中に前記目標速度が、前記カーブ認識手段にて認識された前方のカーブに対する前記適正速度よりも大きいときに、前記車両速度検出手段が検出した前記速度が前記適正速度となるように前記目標速度を修正すると共に、前記前方のカーブを通過後に前記意志検出手段により加速意志が検出されたとき、前記カーブ認識手段にて認識された前記前方のカーブの先のカーブまでの距離に基づき設定される前記修正される前の前記目標速度以下の所定速度まで自車両を加速させることを特徴とする定速走行制御装置を具備する車両の走行安全装置。
【請求項２】
前記定速走行制御手段は、前記適正速度設定手段により設定される前記前方のカーブの先のカーブの適正速度に基づき前記所定速度を設定することを特徴とする請求項１に記載の定速走行制御装置を具備する車両の走行安全装置。
【請求項３】
前記定速走行制御手段は、前記前方のカーブの先のカーブまでの距離が所定の第１距離以上の場合に、前記目標速度を前記所定速度として設定することを特徴とする請求項１または請求項２に記載の定速走行制御装置を具備する車両の走行安全装置。
【請求項４】
前記定速走行制御手段は、前記前方のカーブの先のカーブまでの距離が所定の第１距離未満の所定の第２距離以下の場合に、自車両の加速を抑制または禁止することを特徴とする請求項１または請求項２に記載の定速走行制御装置を具備する車両の走行安全装置。
【発明の詳細な説明】
【技術分野】
【０００１】
この発明は、定速走行制御装置を具備する車両の走行安全装置に関するものである。
【背景技術】
【０００２】
従来、例えば、運転者のスイッチ操作により設定された所定の設定速度を維持するようにして速度制御を行う定速走行制御装置を備えると共に、車両の進行方向前方に存在するカーブを検出し、このカーブに対する適正速度を車両の速度が上回っているときに、車両に設けられた安全装置を作動させる走行安全装置が知られている（例えば、特許文献１参照）。
【特許文献１】特許第３２６９８９７号公報
【発明の開示】
【発明が解決しようとする課題】
【０００３】
ところで、上記従来技術に係る走行安全装置において、定速走行制御装置の作動中に車両の進行方向前方に複数のカーブが連続してなる連続カーブを検出し、これらの複数のカーブの何れかひとつを通過した後に次のカーブに向かい走行する際に、作動中の速度制御に対する設定速度を変更する際のタイミングや変更量を適切に設定することが望まれている。
本発明は上記事情に鑑みてなされたもので、定速走行制御の実行時に車両の進行方向前方に存在する連続カーブを通過する際に、適切に定速走行制御装置を作動させることが可能な定速走行制御装置を具備する車両の走行安全装置を提供することを目的としている。
【課題を解決するための手段】
【０００４】
上記課題を解決して係る目的を達成するために、請求項１に記載の本発明の定速走行制御装置を具備する車両の走行安全装置は、道路データを記憶する記憶手段（例えば、実施の形態での地図データ記憶部２３）と、自車両の位置を検出する自車位置検出手段（例えば、実施の形態での現在位置検出部２１）と、自車両の速度を検出する車両速度検出手段（例えば、実施の形態での車速センサ３３）と、前記記憶手段が記憶した前記道路データに基づき自車両の進行方向に存在するカーブの形状を認識するカーブ認識手段（例えば、実施の形態でのカーブ認識部６１）と、前記カーブ認識手段が認識した前記カーブの形状に基づき該カーブを適正に通過可能な適正速度を設定する適正速度設定手段（例えば、実施の形態での適正車速設定部６２）と、運転者の入力操作により目標速度を設定する目標速度設定手段（例えば、実施の形態での入力部２４）と、前記車両速度検出手段が検出した前記速度が前記目標速度と一致するように自車両の加速または減速を制御する定速走行制御手段（例えば、実施の形態での定速走行制御部６５）とを備える定速走行制御装置を具備する車両の走行安全装置であって、運転者の加速意志を検出する意志検出手段（例えば、実施の形態での運転意志検出部６７）を備え、前記定速走行制御手段は、前記定速走行制御手段の制御中に前記目標速度が、前記カーブ認識手段にて認識された前方のカーブに対する前記適正速度よりも大きいときに、前記車両速度検出手段が検出した前記速度が前記適正速度となるように前記目標速度を修正すると共に、前記前方のカーブを通過後に前記意志検出手段により加速意志が検出されたとき、前記カーブ認識手段にて認識された前記前方のカーブの先のカーブまでの距離に基づき設定される前記修正される前の前記目標速度以下の所定速度まで自車両を加速させることを特徴としている。
【０００５】
上記の定速走行制御装置を具備する車両の走行安全装置によれば、定速走行制御時に目標速度が適正速度よりも大きいときに、この目標速度を修正することにより、定速走行制御の実行を継続しつつカーブを適正に通過することができる。さらに、連続カーブで隣り合うカーブの前方のカーブを通過した後に、運転者の加速意志、例えばアクセルペダルの踏み込み動作を検出した場合には、所定速度まで自車両を加速させることにより、定速走行制御の実行を継続しつつ連続カーブの各複数のカーブを適正に通過することができると共に、自車両の走行状態に運転者の加速意志を適切に反映させることができる。しかも、自車両を加速させる際の所定速度を、前方のカーブから先のカーブまでの距離に基づき設定される定速走行制御の目標速度以下の速度に設定することで、自車両が過剰に加速されてしまうことを防止することができる。
【０００６】
さらに、請求項２に記載の本発明の定速走行制御装置を具備する車両の走行安全装置では、前記定速走行制御手段は、前記適正速度設定手段により設定される前記前方のカーブの先のカーブの適正速度に基づき前記所定速度を設定することを特徴としている。
【０００７】
上記の定速走行制御装置を具備する車両の走行安全装置によれば、運転者の加速意志を反映した加速を行うことができると共に、先のカーブを適正に通過することができる。
【０００８】
さらに、請求項３に記載の本発明の定速走行制御装置を具備する車両の走行安全装置では、前記定速走行制御手段は、前記前方のカーブの先のカーブまでの距離が所定の第１距離以上の場合に、前記目標速度を前記所定速度として設定することを特徴としている。
【０００９】
上記の定速走行制御装置を具備する車両の走行安全装置によれば、前方のカーブから先のカーブまでの距離が所定の第１距離以上となる場合には、目標速度を所定速度として設定することにより、運転者の加速意志に応じて定速走行制御を適切に実行することができる。
【００１０】
さらに、請求項４に記載の本発明の定速走行制御装置を具備する車両の走行安全装置では、前記定速走行制御手段は、前記前方のカーブの先のカーブまでの距離が所定の第１距離未満の所定の第２距離以下の場合に、自車両の加速を抑制または禁止することを特徴としている。
【００１１】
上記の定速走行制御装置を具備する車両の走行安全装置によれば、定速走行制御の実行を継続しつつ先のカーブを適正に通過することができる。
【発明の効果】
【００１２】
以上説明したように、請求項１に記載の本発明の定速走行制御装置を具備する車両の走行安全装置によれば、定速走行制御の実行を継続しつつ連続カーブの各複数のカーブを適正に通過することができると共に、自車両の走行状態に運転者の加速意志を適切に反映させることができ、しかも、自車両が過剰に加速されてしまうことを防止することができる。
さらに、請求項２に記載の本発明の定速走行制御装置を具備する車両の走行安全装置によれば、運転者の加速意志を反映した加速を行うことができると共に、先のカーブを適正に通過することができる。
さらに、請求項３に記載の本発明の定速走行制御装置を具備する車両の走行安全装置によれば、連続カーブの隣り合うカーブ間において運転者の加速意志に応じて定速走行制御を適切に実行することができる。
さらに、請求項４に記載の本発明の定速走行制御装置を具備する車両の走行安全装置によれば、定速走行制御の実行を継続しつつ先のカーブを適正に通過することができる。
【発明を実施するための最良の形態】
【００１３】
以下、本発明の一実施形態に係る定速走行制御装置を具備する車両の走行安全装置について添付図面を参照しながら説明する。
【００１４】
図１に示すように、本実施の形態による定速走行制御装置を具備する車両の走行安全装置１０は、例えば、内燃機関１１の駆動力を、オートマチックトランスミッション（ＡＴ）あるいは無段自動変速機（ＣＶＴ）等のトランスミッション（Ｔ／Ｍ）１２を介して車両の駆動輪に伝達する車両に搭載され、ナビゲーション装置１３と、制御装置１４と、ブレーキアクチュエータ１５および警報装置（図示略）を具備する安全装置（図示略）とを備えて構成されている。
【００１５】
ナビゲーション装置１３は、例えば現在位置検出部２１と、ナビゲーション処理部２２と、地図データ記憶部２３と、入力部２４と、表示部２５とを備えて構成されている。
さらに、現在位置検出部２１は、例えば人工衛星を利用して車両の位置を測定するためのＧＰＳ（Global Positioning System）信号や、例えば適宜の基地局を利用してＧＰＳ信号の誤差を補正して測位精度を向上させるためのＤ（Differential）ＧＰＳ信号等の測位信号を受信する測位信号受信部３１と、水平面内での自車両の向きや鉛直方向に対する傾斜角度（例えば、車両の前後方向軸の鉛直方向に対する傾斜角度や車両重心の上下方向軸回りの回転角であるヨー角等）および傾斜角度の変化量（例えば、ヨーレート等）を検出するジャイロセンサ３２と、車両の速度（車速）を検出する車速センサ３３とを備えて構成され、受信した測位信号によって、あるいは、車速やヨーレート等の検出信号に基づく自律航法の算出処理によって、車両の現在位置を算出する。
【００１６】
地図データ記憶部２３は、例えばハードディスク装置等の磁気ディスク装置や、例えばＣＤ−ＲＯＭやＣＤ−ＲやＭＯやＤＶＤ等の光ディスク装置等のコンピュータ読み取り可能な記憶媒体からなる。そして、地図データ記憶部２３は、例えば表示部２５において地図を表示するための地図データとして、例えば道路の幅員データや複数の道路の交差角度や交差点の形状や位置等の道路データを格納している。
【００１７】
ナビゲーション処理部２２は、例えば、地図データ記憶部２３から取得される道路データに対して、現在位置検出部２１における測位信号および自律航法の算出処理のそれぞれ、又は、何れかから得られる車両の現在位置の情報に基づいてマップマッチングを行い、位置検出の結果を補正すると共に、検出された車両の現在位置、あるいは、各種スイッチやキーボード等からなる入力部２４を介して操作者により入力された適宜の車両の位置に対して、表示部２５での地図表示を制御する。
また、ナビゲーション処理部２２は、例えば車両の経路探索や経路誘導等の処理を実行し、地図データ記憶部２３から取得される道路データと共に、例えば目的地までの経路情報や各種の付加情報を表示部２５へ出力する。
【００１８】
制御装置１４は、速度制御部４１と、エンジン制御部４２と、変速制御部４３と、ブレーキ制御部４４とを備えて構成され、さらに、速度制御部４１は、カーブ認識部６１と、適正車速設定部６２と、比較部６３と、作動部６４と、定速走行制御部６５と、目標車速更新部６６と、運転意志検出部６７とを備えて構成されている。
【００１９】
カーブ認識部６１は、地図データ記憶部２３に記憶された道路データを取得し、この道路データに基づいて自車両の進行方向の道路形状として道路上に存在するカーブを検出する。
例えばカーブ認識部６１は、道路データの基礎となるノードつまり道路形状を把握するための点（例えば、図２に示す白抜き丸および黒丸）と、リンクつまり各ノードを結ぶ線（例えば、図２に示す白抜き丸および黒丸を結ぶ線）とに基づいて、カーブの形状を認識する。そして、例えばカーブの径や曲率および極性、カーブの長さ（カーブの深さ）、カーブの通過に要する旋回角等からなるカーブ形状値を算出し、適正車速設定部６２へ出力する。
【００２０】
適正車速設定部６２は、カーブ認識部６１にて認識されたカーブ形状値に基づいて、このカーブを適正に通過可能な車両の速度（適正速度ＶＳ）を算出する。そして、適正車速設定部６２は設定した適正速度ＶＳのデータを比較部６３へ出力する。
ここで、適正車速設定部６２は、カーブ通過時に車両の横方向に発生する加速度（横加速度）を算出する横加速度算出部を備えている。すなわち、先ず、横加速度算出部は、カーブ認識部６１にて認識されたカーブの形状に基づいて、このカーブを適正に通過する際に許容される横加速度を算出する。次に、適正車速設定部６２は、この横加速度を車両に発生させる車両の速度を算出し、この速度を適正速度ＶＳとして設定する。
なお、カーブ通過時に自車両に許容される横加速度は、路面状況、タイヤの状況、積載の状態等により変化するため、これらを更に考慮して適正速度ＶＳを設定するようにしてもよい。
また、認識されたカーブの形状の手前に上り勾配が存在する場合には、この勾配の大きさに応じて適正速度ＶＳが増大傾向に変化するように設定される。
【００２１】
比較部６３は、現在位置検出部２１の車速センサ３３にて検出した車両の速度（現在速度）ＶＰと、適正車速設定部６２にて設定した適正速度ＶＳとを比較して、この比較結果を作動部６４へ出力する。
作動部６４は、比較部６３での比較結果に基づいてエンジン制御部４２および変速制御部４３およびブレーキ制御部４４の作動を制御する。例えば、比較部６３での比較結果において、車速センサ３３にて検出した現在速度ＶＰと適正車速設定部６２にて設定した適正速度ＶＳとが異なる場合、例えば検出された車両の現在速度ＶＰが適正速度ＶＳよりも高い状態等のように車両が適正車両状態にない場合には、警報装置を作動させて運転者の注意を喚起したり、ブレーキ制御部４４を介してブレーキアクチュエータ１５を作動させて自動的に車両を減速させる。
【００２２】
作動部６４にて警報装置およびブレーキアクチュエータ１５等からなる安全装置を作動させるタイミングは、車両がカーブ認識部６１にて認識したカーブの入口位置に到達するまでに、現在速度ＶＰから適正速度ＶＳまで減速する際に要する時間または距離等に基づいて設定される。
例えば図２に示すように、車両Ａが速度Ｖ１（例えば、速度Ｖ１＞適正速度ＶＳ）で走行している場合に、進行方向前方に存在するカーブＣを適正に通過するためには、カーブＣの入口位置ＣＳにて車両の速度が適正速度ＶＳとなるように設定する。
このとき、例えば所定の減速度ＧＳ（例えば、０．２Ｇ＝０．２×９．８ｍ／ｓ２）にて、現在の速度Ｖ１（例えば、１００ｋｍ／ｈ）から適正速度ＶＳ（例えば、４０ｋｍ／ｈ）まで減速する場合には、減速に要する時間ＴはＴ＝（Ｖ１−ＶＳ）／ＧＳにより求められる。そして、この時間Ｔに基づいて、減速に要する距離つまり減速必要距離Ｌ０が算出され、カーブＣの入口位置ＣＳから、減速必要距離Ｌ０だけ手前の減速開始位置Ｃ０（図２に示す黒丸Ｃ０）が設定される。
【００２３】
さらに、例えば、警報を発して運転者に注意を促してから、実際に運転者が反応してブレーキを踏み込むまでの反応時間（例えば、約０．５ｓ）と、運転者がブレーキを踏み込んでから実際にブレーキが効き始めるまでの空走時間（例えば、約０．３ｓ）とを考慮して反応空走距離ΔＬ０を算出する。これにより、減速開始位置Ｃ０（図２に示す黒丸Ｃ０）から反応空走距離ΔＬ０だけ手前の警報開始位置ＣＷが設定される。
すなわち、車両ＡがカーブＣの手前に設定される警報開始位置ＣＷに到達した時点、つまり車両Ａの現在位置とカーブＣの入口位置ＣＳとの間の距離（減速対象地点間距離Ｌｎ）が、下記数式（１）に示すように設定される警報必要距離ＬＷに等しくなった時点で警報を発する。
【００２４】
【数１】
2006123587.tif 000003
【００２５】
定速走行制御部６５は、例えばナビゲーション装置１３の入力部２４に具備されるスイッチ等による操作者のオン操作によって定速走行制御の作動が指示されると、予め、入力部２４を介して操作者により設定された適宜の目標速度ＶＯを維持するようにして、例えばスロットル開度やブレーキ液圧等を制御し、車両を自動的に加速または減速させ、速度制御を行う。
また、定速走行制御部６５は、定速走行制御の実行時に車両の現在速度ＶＰがカーブ認識部６１にて認識されたカーブの適正速度ＶＳよりも大きいときには、検出される現在速度ＶＰが適正速度ＶＳとなるように定速走行制御の目標速度ＶＯを修正する。
ここで、定速走行制御部６５は、定速走行制御の実行時に、アクセルペダルによる加速操作や、ブレーキペダルによる減速操作および定速走行制御の停止等の介入操作を可能とし、車両の走行挙動に対して運転者の意志が適切に反映されるように設定されている。
なお、定速走行制御は、入力部２４に具備されるスイッチ等により操作者のオフ操作が入力されたり、車両の現在速度ＶＰが所定の下限速度未満に低下したことを検知した場合に停止されるようになっている。
【００２６】
目標車速更新部６６は、例えばナビゲーション装置１３の入力部２４に具備される各種スイッチ、例えば現在設定されている目標速度ＶＯを増大させる加速スイッチや、現在設定されている目標速度ＶＯを低減させる減速スイッチ等による操作者の手動入力操作に加えて、運転者のアクセルペダルまたはブレーキペダルの操作状態に応じて目標速度ＶＯを更新する。例えば、定速走行制御の実行時にアクセルペダルの踏み込み操作により車両が加速された場合には、このアクセルペダルの踏み増し操作が終了した時点での速度を目標速度ＶＯとして更新設定する。
なお、定速走行制御部６５は、例えばアクセルペダルの変位に対する適宜の油圧制御や、例えばアクセルペダルの変位を規制する部材等により、アクセルペダルのペダルストロークに対する反力荷重を制御可能であって、定速走行制御の実行時にアクセルペダルが操作され、アクセルペダルのペダルストロークが適宜の値となった状態でアクセルペダル操作が停止されたこと（つまり、運転者による踏力と反力荷重とが同等になったこと）を検知すると、一段大きな反力荷重を作用させ、この時点でのスロットル開度を維持しつつ運転者が足を軽くアクセルペダルに載せておくことができるようにして、アクセルペダルを所謂フットレストとして用いることができるように設定する。
このため、速度制御部４１には、車速センサ３３から出力される検出信号に加えて、運転者によるアクセルペダルの操作量に係るアクセル開度を検出するアクセル開度センサ５１と、運転者によるブレーキペダルの操作量を検出するブレーキペダルセンサ５２と、スロットル開度を検出するスロットル開度センサ５３とから出力される各検出信号が入力されている。
【００２７】
運転意志検出部６７は、例えば運転者によるアクセルペダルの踏み込み操作等を検出することにより運転者の加速意志の有無を検出する。
そして、定速走行制御部６５は、定速走行制御の実行時に連続する複数のカーブからなる連続カーブを通過する際に、適宜の前方側のカーブを通過後に運転意志検出部６７にて運転者の加速意志が検出された場合には、通過した前方側のカーブから先のカーブまでの距離に基づき設定した所定速度まで車両を加速させる。ここで、車両を加速させる際の所定速度は、実行継続中の定速走行制御の目標速度ＶＯ以下となるようにして、適正車速設定部６２にて設定される先のカーブに対する適正速度ＶＳに基づき設定され、例えば現在速度ＶＰと先のカーブの適正速度ＶＳとの平均値等とされる。
【００２８】
本実施の形態による定速走行制御装置を具備する車両の走行安全装置１０は上記構成を備えており、次に、この定速走行制御装置を具備する車両の走行安全装置１０の動作、特に、入力部２４に具備されるスイッチ等による操作者のオン操作によって定速走行制御の実行が指示された状態において、連続する複数のカーブからなる連続カーブにおいて適宜のカーブを通過した後の速度制御の処理について添付図面を参照しながら説明する。
【００２９】
先ず、図３に示すステップＳ０１においては、カーブの通過後であるか否かを判定する。
この判定結果が「ＮＯ」の場合には、一連の処理を終了する。
一方、この判定結果が「ＹＥＳ」の場合には、ステップＳ０２に進む。
ステップＳ０２においては、地図データ記憶部２３に格納された地図データに基づいて、通過後のカーブの先に次のカーブ形状が存在するか否かを判定する。
ステップＳ０２の判定結果が「ＮＯ」の場合には、一連の処理を終了する。
一方、ステップＳ０２の判定結果が「ＹＥＳ」の場合には、ステップＳ０３に進む。
ステップＳ０３においては、運転者によるアクセルペダル操作の停止状態あるいはアクセルペダルの踏み込み状態であるか否かを判定する。
ステップＳ０３の判定結果が「ＮＯ」の場合、つまりアクセルペダル操作の解除やアクセルペダルの踏み戻しの状態である場合には、一連の処理を終了する。
一方、ステップＳ０３の判定結果が「ＹＥＳ」の場合には、運転者は車両の加速あるいは減速の停止を望んでいると判断して、ステップＳ０４に進む。
【００３０】
ステップＳ０４においては、検出した次のカーブ形状に対して、例えばカーブの最小径や最大曲率や極性、カーブの長さ（カーブの深さ）、カーブの通過に要する旋回角等からなるカーブ形状値を推定し、推定したカーブ形状値に基づいてカーブ形状を適正に通過可能な適正速度ＶＳを算出する。
次に、ステップＳ０５においては、地図データ記憶部２３に格納された地図データに基づいて、通過したカーブから次のカーブ形状までの距離（カーブ間距離）を算出する。
次に、ステップＳ０６においては、車両の現在速度ＶＰおよび現在位置を取得する。
次に、ステップＳ０７においては、検出した現在速度ＶＰが、次のカーブ形状の適正速度ＶＳよりも大きいか否かを判定する。
この判定結果が「ＮＯ」の場合には、通過後のカーブに比べて次のカーブ形状の方がカーブ形状値に応じた通過難度がより高いと判断して、ステップＳ０８に進む。
一方、この判定結果が「ＹＥＳ」の場合には、つまり通過後のカーブに比べて次のカーブ形状の方がカーブ形状値に応じた通過難度がより低いと判断して、ステップＳ０９に進む。
【００３１】
そして、ステップＳ０８においては、所定の第１距離Ｌａおよび第２距離Ｌｂ（＜第１距離Ｌａ）として相対的に長い値を設定し、ステップＳ１０に進む。
また、ステップＳ０９においては、所定の第１距離Ｌａおよび第２距離Ｌｂ（＜第１距離Ｌａ）として相対的に短い値を設定し、ステップＳ１０に進む。
そして、ステップＳ１０においては、通過したカーブから次のカーブ形状までのカーブ間距離が、所定の第１距離Ｌａよりも長いか否かを判定する。
この判定結果が「ＮＯ」の場合には、後述するステップＳ１２に進む。
一方、この判定結果が「ＹＥＳ」の場合には、ステップＳ１１に進む。
そして、ステップＳ１１においては、次のカーブ形状の位置が相対的に遠いと判断して、通過したカーブに侵入する以前の速度に復帰するようにして、通過したカーブに侵入する以前の時点で実行していた定速走行制御の目標速度ＶＯを、現在実行中の定速走行制御の目標速度ＶＯとして設定し、後述するステップＳ１５に進む。
【００３２】
また、ステップＳ１２においては、通過したカーブから次のカーブ形状までのカーブ間距離が、所定の第２距離Ｌｂよりも短いか否かを判定する。
この判定結果が「ＮＯ」の場合には、後述するステップＳ１４に進む。
一方、この判定結果が「ＹＥＳ」の場合には、ステップＳ１３に進む。
そして、ステップＳ１３においては、次のカーブ形状の位置が相対的に近いと判断して、加速制御の非実行状態として、一連の処理を終了する。
また、ステップＳ１４においては、現在速度ＶＰと次のカーブ形状の適正速度ＶＳとの平均値を、現在実行中の定速走行制御の目標速度ＶＯとして設定し、ステップＳ１５に進む。
【００３３】
ステップＳ１５においては、現在実行中の定速走行制御の目標速度ＶＯと現在速度ＶＰとの偏差に基づき、例えば偏差が増大することに伴い加速ゲインが増大傾向に変化するようにして、加速ゲインを設定する。
そして、ステップＳ１６においては、設定した加速ゲインに応じて車両を加速させる加速制御を実行し、一連の処理を終了する。
【００３４】
上述したように、本実施の形態による定速走行制御装置を具備する車両の走行安全装置１０によれば、定速走行制御時に目標速度ＶＯが適正速度ＶＳよりも大きいときに、この目標速度ＶＯを修正することにより、定速走行制御の実行を継続しつつカーブを適正に通過することができる。さらに、連続カーブで隣り合うカーブの前方のカーブを通過した後に、運転者の加速意志、例えばアクセルペダルの踏み込み動作を検出した場合には、所定速度まで自車両を加速させることにより、定速走行制御の実行を継続しつつ連続カーブの各複数のカーブを適正に通過することができると共に、自車両の走行状態に運転者の加速意志を適切に反映させることができる。しかも、自車両を加速させる際の所定速度を、前方のカーブから先のカーブまでのカーブ間距離に基づき設定される定速走行制御の目標速度ＶＯ以下の速度に設定することで、自車両が過剰に加速されてしまうことを防止することができる。
【図面の簡単な説明】
【００３５】
【図１】本発明の一実施形態に係る定速走行制御装置を具備する車両の走行安全装置の構成を示す機能ブロック図である。
【図２】車両がカーブに進入する際の警報の作動タイミングを示す図である。
【図３】図１に示す定速走行制御装置を具備する車両の走行安全装置の動作を示すフローチャートである。
【符号の説明】
【００３６】
１０  定速走行制御装置を具備する車両の走行安全装置
２１  現在位置検出部（自車位置検出手段）
２３  地図データ記憶部（記憶手段）
２４  入力部（目標速度設定手段）
３３  車速センサ（車両速度検出手段）
６１  カーブ認識部（カーブ認識手段）
６２  適正車速設定部（適正速度設定手段）
６５  定速走行制御部（定速走行制御手段）
６７  運転意志検出部（意志検出手段）
【図１】
2006123587.tif 000004
【図２】
2006123587.tif 000005
【図３】
2006123587.tif 000006